(57)【特許請求の範囲】
【請求項１】
被写体を照明するための照明光である白色光を出射する白色光源と、
前記被写体にて蛍光を生じさせる照明光である励起光を出射する励起光源と、
前記白色光と前記励起光とが所定時間ごとに交互に前記被写体に照射されるように前記照明光の照射を制御する照射制御手段と、
前記白色光の反射光を受光して第１の映像信号を生成し、前記蛍光を受光して第２の映像信号を生成する撮像素子と、
前記白色光の光量を調整する光量調整手段とを備え、
前記光量調整手段は、前記照明光制御手段により前記白色光が照射されたときに前記撮像素子によって受光される前記反射光の輝度と、前記照明光制御手段により前記励起光が照射されたときに前記撮像素子によって受光される前記蛍光の輝度との差分が小さくなるように前記白色光の光量を調整することにより、前記反射光と前記蛍光との受光時における前記被写体を示す、前記第１の映像信号に基づく通常画像と、前記第２の映像信号に基づく自家蛍光画像とをリアルタイムで生成可能であり、
前記光量調整手段が、絞りと、前記絞りの位置を調整する絞り位置調整手段と、
前記絞りの位置を調整するための絞り調整データを格納するデータメモリと、前記絞り調整データを読出す読出手段とをさらに有し、
前記光量調整手段が、読出された前記絞り調整データと前記反射光の輝度とに基づいて、前記絞りの位置を調整し、
前記データメモリが、複数の絞り調整データを格納しており、前記読出手段が、ユーザの指示に応じた絞り調整データを読出すことを特徴とする電子内視鏡装置。
【請求項２】
前記光量調整手段は、前記第１の映像信号における輝度成分と、前記第２の映像信号における輝度成分との差分が小さくなるように、前記白色光の光量を制御することを特徴とする請求項１に記載の電子内視鏡装置。
【請求項３】
前記絞り調整データは、前記反射光の輝度が前記蛍光の輝度にほぼ等しくなるように前記白色光の光量を低下させるためのものであり、
前記光量調整手段が、前記絞り調整データに基づいて前記白色光の光量を低下させることにより、前記第１の映像信号と前記第２の映像信号とに基づく擬似カラー画像が生成可能であることを特徴とする請求項１に記載の電子内視鏡装置。
【請求項４】
前記通常画像と前記自家蛍光画像とを同時に表示する画像表示手段をさらに有することを特徴とする請求項１に記載の電子内視鏡装置。
【発明の詳細な説明】
【技術分野】
【０００１】
本発明は、電子内視鏡装置に関し、特に自家蛍光画像を表示可能な電子内視鏡装置に関する。
【背景技術】
【０００２】
従来、体腔内の観察部位に励起光を照射すると、正常組織は蛍光を発するのに対し、癌等の患部は蛍光を生じないことを利用した、いわゆる自家蛍光観察可能な電子内視鏡装置が知られている。そして、自家蛍光観察可能な電子内視鏡装置の中には、複数の撮像光学系を設けることにより、自家蛍光画像と、白色光の反射光による通常画像とを同時に生成し、モニタ上にこれらの画像を表示するものが知られている（例えば特許文献１）。
【特許文献１】特許第３４４１４４９号公報（段落［００４１］〜［００５０］、図１６、１７等参照）
【０００３】
また、体内組織からの励起光による蛍光は、白色光の反射光に比べて微弱であるため、自家蛍光観察においては、映像信号に対する増幅処理が必要となる。そして、白色光の反射光による映像信号に対しても同様の増幅処理を施すと、通常画像においてハレーションが発生するために、被写体が観察できなくなる。
【０００４】
従って、単一の撮像光学系のみを有する、従来の自家蛍光観察可能な電子内視鏡装置においては、得られた通常画像と自家蛍光画像とを記憶し、それぞれに独自の画像処理を施した後に、モニタ表示している。
【発明の開示】
【発明が解決しようとする課題】
【０００５】
電子内視鏡装置において、複数の撮像光学系を設けることは、装置の複雑化、および製造コストの上昇を招く。また、単一の撮像光学系を有する従来の電子内視鏡装置においては、調光制御によって、リアルタイムで同一の被写体の通常画像と自家蛍光画像とを生成、表示することはできない。
【０００６】
本発明は、単一の撮像光学系における調光制御により、通常画像と同一の被写体を示す画質の高い自家蛍光画像をリアルタイムで生成、表示可能な電子内視鏡装置を提供することを目的とする。
【課題を解決するための手段】
【０００７】
本発明の電子内視鏡装置は、被写体を照明するための照明光である白色光を出射する白色光源と、被写体にて蛍光を生じさせる照明光である励起光を出射する励起光源と、白色光と励起光とが所定時間ごとに交互に被写体に照射されるように照明光の照射を制御する照射制御手段と、白色光の反射光を受光して第１の映像信号を生成し、蛍光を受光して第２の映像信号を生成する撮像素子と、白色光の光量を調整する光量調整手段とを備え、光量調整手段は、照明光制御手段により白色光が照射されたときに撮像素子によって受光される反射光の輝度と、照明光制御手段により励起光が照射されたときに撮像素子によって受光される蛍光の輝度との差分が小さくなるように白色光の光量を調整することにより、反射光と蛍光との受光時における被写体を示す、第１の映像信号に基づく通常画像と、第２の映像信号に基づく自家蛍光画像とをリアルタイムで生成可能であることを特徴とする。
【０００８】
光量調整手段は、第１の映像信号における輝度成分と、第２の映像信号における輝度成分との差分が小さくなるように、白色光の光量を制御することが好ましい。また、光量調整手段は、例えば、絞りと絞りの位置を調整する絞り位置調整手段とを含む。そしてこの場合、電子内視鏡装置は、絞りの位置を調整するための絞り調整データを格納するデータメモリと、絞り調整データを読出す読出手段とをさらに有し、光量調整手段が、読出された絞り調整データと反射光の輝度とに基づいて、絞りの位置を調整することが好ましい。
【０００９】
データメモリが複数の絞り調整データを格納しており、読出手段が、ユーザの指示に応じた絞り調整データを読出すことが好ましい。また、データメモリが、反射光の輝度が蛍光の輝度にほぼ等しくなるように白色光の光量を低下させるための絞り調整データを格納しており、光量調整手段が、絞り調整データに基づいて白色光の光量を低下させることにより、第１の映像信号と第２の映像信号とに基づく擬似カラー画像が生成可能であることが望ましい。
【００１０】
電子内視鏡装置は、第１の映像信号における輝度成分を書き込む輝度成分メモリをさらに有し、第２の映像信号における輝度成分の代わりに、輝度成分メモリに書き込まれた輝度成分を用いて絞り位置を調整することが好ましい。
【００１１】
電子内視鏡装置は、通常画像と自家蛍光画像とを同時に表示する画像表示手段をさらに有することが望ましい。
【発明の効果】
【００１２】
本発明によれば、単一の撮像光学系における調光制御により、通常画像と同一の被写体を示す画質の高い自家蛍光画像をリアルタイムで生成、表示可能な電子内視鏡装置を実現できる。
【発明を実施するための最良の形態】
【００１３】
以下、本発明の実施形態を、図面を参照して説明する。図１は、第１の実施形態における電子内視鏡装置１０のブロック図である。
【００１４】
電子内視鏡装置１０は、被写体である体腔内の観察、撮影に用いられるスコープ２０と、スコープ２０に被写体照明のための光を供給するとともに、スコープ２０から送られてくる映像信号を処理するプロセッサ３０とを備える。電子内視鏡装置１０には、プロセッサ３０に接続され、被写体画像を表示するモニタ６０が含まれる。
【００１５】
プロセッサ３０には、光源部３２、プロセッサ３０全体を制御するＣＰＵ３６等が設けられている。光源部３２には、被写体を照明するための照明光である白色光を出射する白色光源と、被写体において蛍光を生じさせる照明光である励起光を出射する励起光源（いずれも図示せず）とが設けられている。
【００１６】
光源部３２より出射された白色光と励起光は、集光レンズ（図示せず）によって集光され、絞り駆動回路４６によって駆動される絞り調光部４２の絞り３８によって光量調整された後に、ライトガイド３４に入射する。ライトガイド３４に入射した白色光、あるいは励起光は、ライトガイド３４を通過してスコープ２０の先端部に伝達され、被写体に向けて照射される。なお、絞り調光部４２には、ロータリーシャッタ（図示せず）等が設けられており、白色光と励起光とが所定時間ごとに交互に、例えば１フィールド期間ごとに被写体に向けて照射されるように、照明光の照射を制御する。
【００１７】
被写体である観察部位で反射した白色光の反射光、あるいは励起光による蛍光は、対物レンズ（図示せず）等を通過し、ＣＣＤ２２によって受光される。ＣＣＤ２２においては、白色光の反射光に基づく映像信号（第１の映像信号）と、蛍光に基づく映像信号（第２の映像信号）とが生成される。生成された映像信号は、１フィールド期間、すなわち１／６０秒間隔ごとに順次読み出され、ＣＤＳ回路（図示せず）等を介してスコープ側映像信号処理回路２４に送られる。
【００１８】
スコープ側映像信号処理回路２４では、読み出された映像信号に増幅処理が施され、さらにアナログ信号からデジタル信号に変換される。そして、ホワイトバランス調整など様々な処理がデジタル映像信号に対して施され、輝度信号、色差信号が生成される。輝度信号及び色差信号は、プロセッサ３０のプロセッサ側映像信号処理回路４８へ送られ、ＮＴＳＣ信号などの映像信号に変換され、モニタ６０へ出力される。この結果、被写体像がモニタ６０に表示される。
【００１９】
なお、スコープ側映像信号処理回路２４においては、ＣＰＵ３６の制御により、増幅処理でのゲインが調整される。すなわち、蛍光による映像信号の信号レベルは、白色光の反射光による映像信号の信号レベルに比べて大幅に小さいことから、蛍光による映像信号の増幅処理においては、白色光の反射光による映像信号の増幅処理時に比べ、大きいゲインが設定される。
【００２０】
スコープ側映像信号処理回路２４で生成された輝度信号は、プロセッサ側映像信号処理回路４８からさらにＣＰＵ３６にも送信される。ＣＰＵ３６では、後述するように、受信した輝度信号等に基づいて、絞り駆動回路４６を介して絞り調光部４２を制御し、絞り３８の位置を調整する。さらに、絞り調光部４２からは、実際の絞り３８の絞り位置を示すデータがＣＰＵ３６に出力される。このフィードバックにより、ＣＰＵ３６は、絞り３８の位置を正確に調整できる。
【００２１】
プロセッサ３０の表面には、モード選択ボタン４４が設けられている。そして、電子内視鏡装置１０においては、モード選択ボタン４４の押下により、複数の画像モードが選択、設定できる。すなわち、白色光の反射光に基づく通常画像を生成、モニタ６０上に表示させる通常画像モード、蛍光に基づく自家蛍光画像を生成、表示させる自家蛍光画像モード、通常画像と自家蛍光画像とを同時に生成、表示させる複数画像モード、および、白色光の反射光による映像信号と蛍光による映像信号とによって擬似カラー画像を生成、表示させる擬似カラー画像モードの４つのモードが選択できる。
【００２２】
モード選択ボタン４４が押下されたことを示す信号がＣＰＵ３６に送信されると、ＣＰＵ３６において、ユーザの指示に応じたモード設定が行なわれる。自家蛍光画像モードが選択されると、ＣＰＵ３６は、励起光源からの励起光のみがライトガイド３４に入射されるように、光源部３２、絞り駆動回路４６を制御する。
【００２３】
ここで、プロセッサ３０においては、テーブルメモリ（データメモリ）５２が設けられている。テーブルメモリ５２には、ライトガイド３４に入射する白色光が適当な光量となるように、絞り３８の位置を調整するためのデータである調光テーブル（絞り調整データ）が格納されている。調光テーブルには、通常画像モード用のＷＬテーブル、複数画像モード用のＴＷＩＮテーブル、および擬似カラー画像モード用のＭＩＸテーブルが含まれる。なお、自家蛍光画像モード用の調光テーブルは、白色光の光量が不要であるため、設けられていない。
【００２４】
モード選択ボタン４４の押下により、通常画像モードが設定されると、ＣＰＵ３６は、白色光源からの白色光のみがライトガイド３４に入射されるように光源部３２等を制御するとともに、テーブルメモリ５２からＷＬテーブルを読出し、ＷＬテーブルとプロセッサ側映像信号処理回路４８からの白色光の反射光による輝度信号とに基づいて、絞り駆動回路４６を介して絞り３８の位置を調整する。
【００２５】
複数画像モード、もしくは擬似カラー画像モードが設定されると、ＣＰＵ３６は、白色光と励起光とが１フィールド期間ずつ交互にライトガイド３４に入射されるように、光源部３２、絞り調光部４２に設けられたロータリーシャッタ（図示せず）等を制御するとともに、ＴＷＩＮテーブル、もしくはＭＩＸテーブルをテーブルメモリ５２から読出す。そして、読出したテーブルとプロセッサ側映像信号処理回路４８からの輝度信号とに基づいて、絞り駆動回路４６を介して絞り３８の位置を調整する。なお、ＣＰＵ３６は、スコープ２０側から送信されるフィールド信号に基づいて、１フィールド期間ごとの発光制御を行なう。
【００２６】
モード選択ボタン４４の近傍には光量調整ボタン（図示せず）が設けられており、光量調整ボタンの押下によって、通常画像モード、複数画像モード、もしくは擬似カラー画像モードのいずれが設定されている場合においても、ライトガイド３４に入射する白色光の光量レベルを段階的に調整可能である。
【００２７】
図２は、通常画像モード設定時における、白色光の照射時間と輝度信号の強度の経時変化とを示すタイミングチャートである。図３は、複数画像モード設定時および擬似カラー画像モード設定時における、白色光と励起光の照射時間と輝度信号の強度の経時変化とを示すタイミングチャートである。図４は、調光テーブルを例示する図である。
【００２８】
通常画像モード設定時には、白色光が、光源部３２からライトガイド３４を介して被写体に照射され、その反射光によって輝度信号が生成される。生成された輝度信号の強度、すなわち白色光の反射光に基づく映像信号の輝度成分は、被写体が突然変更されるといったことがない限り、大幅に変化することはなく、概ね一定である。
【００２９】
そして、絞り３８の位置を１フィールドほどの短い期間で調整することは不可能であるため、ＣＰＵ３６は、複数のフレーム期間から成る所定の時間に渡って輝度信号の強度を平均し、得られた平均強度に基づいて、絞り３８が適当な絞り位置にあるように、絞り駆動回路４６に絞り位置を調整させる。
【００３０】
これに対し、複数画像モード設定時、および擬似カラー画像モード設定時においては、１／３０秒間に渡る１フレーム中の第１フィールドと第２フィールドとで、白色光と励起光とが交互に照射される（図３参照）。ここで、第１フィールドで照射された白色光の反射光に基づいて生成され、第２フィールドで読出された輝度信号の強度は、第２フィールドで照射された蛍光によって生成された輝度信号の強度、すなわち蛍光に基づく映像信号の輝度成分に比べて大幅に高い。
【００３１】
そしてＣＰＵ３６は、複数画像モード、および擬似カラー画像モードの設定時においても、通常画像モード設定時と同様に、複数のフレーム期間以上の所定時間における輝度信号の平均強度に基づいて、絞り駆動回路４６に絞り３８の絞り位置を調整させる。
【００３２】
以上のことから、励起光が白色光とほぼ同時に照射されるこれらのモードにおいて、輝度信号の強度のみに基づいて絞り３８の位置を調整した場合、平均強度は白色光の反射光の輝度信号の強度に比べて大幅に低下する。このため、ＣＰＵ３６の制御の下で、絞り駆動回路４６は、白色光のライトガイド３４への入射光を大幅に増加する絞り位置まで絞り３８を移動させてしまう。
【００３３】
この結果、複数画像モードにおいて、自家蛍光画像と同時にモニタ６０上に表示される通常画像にはハレーションが生じ、被写体が視認できなくなる恐れがある。また、プロセッサ側映像信号処理回路４８において、連続したフィールド期間に読出される、白色光の反射光による映像信号と蛍光による映像信号とを加算して画像を生成する擬似カラー画像モードにおいても、輝度レベルの大幅に異なる映像信号同士の加算によって、画質の低い擬似カラー画像が生じてしまう。
【００３４】
このようなハレーション等による画質の低い画像の生成を防止すべく、白色光の光量を調整するために、上述の調光テーブルが用いられる（図４参照）。図４（ａ）は通常画像モード用のＷＬテーブル、図４（ｂ）は複数画像モード用のＴＷＩＮテーブル、図４（ｃ）は擬似カラー画像モード用のＭＩＸテーブルをそれぞれ示している。
【００３５】
調光テーブルは、光量調整ボタンによって段階的に設定される白色光の光量レベルと、各光量レベルだけ白色光を被写体に照射させる絞り位置まで絞り３８を移動させるために、絞り駆動回路４６に供給される駆動電圧の大きさとの対象表である。そして、この調光テーブルに基づいて、設定された光量レベルに応じて絞り３８の位置が調整され、光量レベルが変更されると、絞り３８は所定の位置まで移動される。
【００３６】
図４（ａ）〜（ｃ）は、同一の光量レベルが設定されているときであっても、通常画像モード、複数画像モード、擬似カラー画像モードの順に光量低下が大きいことを示している。これは、複数画像モードにおいては、通常画像のハレーション防止が可能である程度まで、白色光の反射光による映像信号の輝度成分を低下させ、蛍光による映像信号の輝度成分に近づけることが必要とされるのに対し、擬似カラー画像モードでは、生成される擬似カラー画像の画質向上のために、白色光の反射光による映像信号の輝度成分と蛍光による映像信号の輝度成分とがほぼ等しくなるように調光制御するためである。
【００３７】
なお、各調光テーブルにおけるレベル０は、デフォルトの光量レベルを示しており、光量調整ボタンが押下されると、レベル＋１、レベル＋２、もしくはレベル−１、レベル−２等が設定される。また先述のように、絞り３８の絞り位置は、調光テーブルのみによって調整されるのではなく、輝度信号によっても調整される。
【００３８】
図５は、電子内視鏡装置１０における、調光制御ルーチンを示すフローチャートである。
【００３９】
調光制御ルーチンは、電子内視鏡装置１０が作動すると開始する。ステップＳ１０では、モード選択ボタンの押下によって画像モードの設定、もしくは変更の指示があったか否かが判断され、画像モードの設定、変更の指示があったと判断されると、ステップＳ１１に進む。ステップＳ１１では、通常画像モードの設定が指示されたか否かが判断され、通常画像モードが指示されたと判断されるとステップＳ１２に進み、通常画像モードの設定指示がないと判断されると、ステップＳ１３に進む。
【００４０】
ステップＳ１２では、スコープ側映像信号処理回路２４における増幅処理のゲインを、白色光の反射光を処理するための低ゲイン値に設定し、ステップＳ１４に進む。ステップＳ１４では、テーブルメモリ５２からＷＬテーブルが読出され、調光制御ルーチンは終了する。
【００４１】
ステップＳ１３では、増幅処理のゲインを、蛍光処理に適した高ゲイン値に設定し、ステップＳ１５に進む。ステップＳ１５では、複数画像モードの設定が指示されたか否かが判断され、複数画像モードの設定が指示されたと判断されるとステップＳ１６に進み、複数画像モードの設定が指示されていないと判断されると、ステップＳ１７に進む。ステップＳ１６では、テーブルメモリ５２からＴＷＩＮテーブルが読出され、調光制御ルーチンは終了する。
【００４２】
ステップＳ１７では、擬似カラー画像モードが設定指示されたか否かが判断される。そして、擬似カラー画像モードの設定が指示されたと判断されると、ステップＳ１８に進む。ステップＳ１８では、テーブルメモリ５２からＭＩＸテーブルが読出され、調光制御ルーチンは終了する。
【００４３】
一方、ステップＳ１７において、擬似カラー画像モードの設定が指示されていないと判断された場合、ステップＳ１０で設定指示された画像モードは自家蛍光画像モードであることが明らかとなり、この場合には調光テーブルの読出しが不要であり、調光制御ルーチンは終了する。
【００４４】
以上のように本実施形態の電子内視鏡装置１０においては、白色光の光量を制御することにより、画質の良好な通常画像と、通常画像と同一の被写体を示す自家蛍光画像とを生成できる。さらに、複数の画像を生成するための映像信号をメモリに格納させた後に、映像信号ごとに処理を施すといった必要がないことから、通常画像と自家蛍光画像とは、いずれもリアルタイムで生成、表示が可能である。
【００４５】
さらに、電子内視鏡装置１０においては、ＣＣＤ２２等を含む単一の撮像光学系のみが設けられていることから、構造を簡素化できる。
【００４６】
なお、図４に示した調光テーブルはあくまでも例示であり、実施される調光テーブルは、図４に示したものに限定されない。例えば、各光量レベルに応じた駆動電圧量を、等差級数的に設定せず、等比級数的に設定しても良い。
【００４７】
図６は、第２の実施形態における電子内視鏡装置５０のブロック図である。図７は、本実施形態での複数画像モード設定時における、輝度信号の強度の変化を示すタイミングチャートである。なお、図６の電子内視鏡装置５０における、第１の実施形態における電子内視鏡装置１０と同一の、もしくは対応する構成は、図１と同じ符号によって示されている。以下に、本実施形態につき、第１の実施形態との相違点を中心に説明する。
【００４８】
本実施形態の電子内視鏡装置５０のプロセッサ３０においては、輝度成分メモリ５４が設けられている。さらに、輝度成分メモリ５４の入力側、出力側には、第１、および第２切換スイッチ５６、５７が設けられている。輝度成分メモリ５４等は、複数画像モードにおける通常画像の画質の低下を、第１の実施形態とは異なる手法で防止するために設けられている。
【００４９】
すなわち、本実施形態では、１フレーム中の第１フィールドと第２フィールドとで、白色光と励起光とが交互に照射される複数画像モード設定時（図７参照）においては、白色光の反射光による映像信号の輝度成分のみをＣＰＵ３６に送信することにより、複数のフレーム期間以上の所定時間における輝度信号の平均強度が低下していないものとＣＰＵ３６に判断させている。
【００５０】
より詳しく説明すると、蛍光による映像信号の輝度成分は輝度成分メモリ５４に書き込まれず、この蛍光の輝度成分の代わりに、蛍光が受光される１フィールド前に受光された白色光の反射光による映像信号の輝度成分が書き込まれる。そして、本来の白色光の反射光の輝度成分が、１フィールド間隔をおいてそのままＣＰＵ３６に出力されるとともに、一度輝度成分メモリ５４に書き込まれた輝度成分も、本来の白色光の反射光による輝度成分と重複しないように、やはり１フィールド期間の間隔を保ってＣＰＵ３６に出力される。
【００５１】
この結果、ＣＰＵ３６は、白色光の反射光による映像信号の輝度成分のみを用いて平均強度を算出し、絞り駆動回路４６が、白色光のライトガイド３４への入射光を大幅に増加する絞り位置まで絞り３８を移動させてしまうことが防止される。こうして、通常画像におけるハレーションの発生が抑えられる。
【００５２】
ただし、本実施形態では、通常画像、自家蛍光画像、および擬似カラー画像を生成するためにプロセッサ側映像信号処理回路４８に送信される、白色光の反射光による映像信号と、蛍光による映像信号との強度差は大きいままであるため、両映像信号を加算する擬似カラー画像モードにおいては、画質低下を防止できない。
【００５３】
図８は、閉じた状態の第１切換スイッチ５６と、第１切換スイッチ５６側に閉じた状態の第２切換スイッチ５７とを示す図である。図９は、開いた状態の第１切換スイッチ５６と、輝度成分メモリ５４側に閉じた状態の第２切換スイッチ５７とを示す図である。
【００５４】
第１および第２切換スイッチ５６、５７が、ＣＰＵ３６の制御により、図８に示した状態と図９に示した状態とを、１フィールド期間ごとに繰り返すことにより、白色光の反射光による映像信号の輝度成分のみをＣＰＵ３６に出力することができる。
【００５５】
すなわち、第１および第２切換スイッチ５６、５７は、図７における第２フィールド期間においては図８に示す状態にあって、白色光の反射光の輝度成分は、第２切換スイッチ５７を介してＣＰＵ３６に送信されるとともに、輝度成分メモリ５４に書き込まれる。
【００５６】
そして、第１および第２切換スイッチ５６、５７は、図７における第２フレームの第１フィールド期間においては、図９に示す状態にあり、第１フレームの第２フィールド期間において輝度成分メモリ５４に書き込まれた白色光の反射光の輝度成分がＣＰＵ３６に送信される一方、蛍光による輝度成分は、開いた状態の第１切換スイッチ５６により、輝度成分メモリ５４には送信されない。
【００５７】
以上のように、白色光の反射光による輝度成分のみをＣＰＵ３６に出力させる本実施形態においても、調光テーブルを用いた絞り３８の調光制御により、白色光の反射光による輝度成分を低下させる第１の実施形態と同様の効果が得られる。なお、絞り３８等の調光制御により、ライトガイド３４に入射される白色光の光量を調整しない本実施形態では、ＷＬテーブル以外の調光テーブルは不要である（図６参照）。
【図面の簡単な説明】
【００５８】
【図１】第１の実施形態における電子内視鏡装置のブロック図である。
【図２】通常画像モード設定時における、白色光の照射時間と輝度信号の強度の経時変化とを示すタイミングチャートである。
【図３】複数画像モード設定時および擬似カラー画像モード設定時における、白色光と励起光の照射時間と輝度信号の強度の経時変化とを示すタイミングチャートである。
【図４】調光テーブルを例示する図である。
【図５】電子内視鏡装置における調光制御ルーチンを示すフローチャートである。
【図６】第２の実施形態における電子内視鏡装置のブロック図である。
【図７】本実施形態での複数画像モード設定時における、輝度信号の強度の変化を示すタイミングチャートである。
【図８】閉じた状態の第１切換スイッチと、第１切換スイッチ側に閉じた状態の第２切換スイッチとを示す図である。
【図９】開いた状態の第１切換スイッチと、輝度成分メモリ側に閉じた状態の第２切換スイッチとを示す図である。
【符号の説明】
【００５９】
１０  電子内視鏡装置
２２  ＣＣＤ（撮像素子）
３２  光源部（白色光源・励起光源）
３６  ＣＰＵ（読出手段）
３８  絞り（光量調整手段）
４２  絞り調光部（照射制御手段・光量調整手段）
４６  絞り駆動回路（絞り位置調整手段・光量調整手段）
５２  テーブルメモリ（データメモリ）
５４  輝度成分メモリ
６０  モニタ（画像表示手段）
【図１】
0004745790.tif 000002
【図２】
0004745790.tif 000003
【図３】
0004745790.tif 000004
【図４】
0004745790.tif 000005
【図５】
0004745790.tif 000006
【図６】
0004745790.tif 000007
【図７】
0004745790.tif 000008
【図８】
0004745790.tif 000009
【図９】
0004745790.tif 000010